(57)【要約】【課題】  複室容器を用いた薬剤の混合工程において、仕切手段を解除させる作業のみを行えば、混合薬剤を投与することができ、また、仕切手段の解除前に薬剤充填室に充填された未混合薬剤が口栓を通って中空針に流入しない複室容器を提供する。【解決手段】  複数に区画されてそれぞれ異なる薬剤が充填される薬剤充填室１１，１２を有する容器本体２と、該容器本体２の開口部に取り付けられた口栓１３とを備えた複室容器１において、前記口栓１３を前記容器本体２に隠れた状態に設け、前記薬剤充填室１１，１２を閉塞し、前記口栓１３の引張で剥離可能に構成された弱シール部８を前記容器本体２に設けた。【選択図】図１
2005074089.tif 000002
【特許請求の範囲】
【請求項１】
複数に区画されてそれぞれ異なる薬剤が充填される薬剤充填室を有する容器本体と、該容器本体の開口部に取り付けられた口栓とを備えた複室容器において、前記口栓の少なくとも一部を前記容器本体に隠れた状態に設け、前記薬剤充填室を閉塞し、前記口栓の引張で剥離可能に構成された弱シール部を前記容器本体に設けたことを特徴とする、複室容器。
【請求項２】
前記容器本体は、袋部の上部に折り返し線を備え、前記口栓側の袋部が該上部折り返し線で内側に折り返された折り返し部が形成されて、前記折り返し部の間に前記口栓が隠れるように位置することを特徴とする、請求項１記載の複室容器。
【請求項３】
前記弱シール部は、前記上部折り返し線で内側に折り返された前記容器本体の袋部の上縁部の内壁と、該上縁部の内壁に対向する前記容器本体の袋部の内壁とがシールされて形成され、前記薬剤充填室を区画する仕切強シール部の上端に位置していることを特徴とする、請求項２記載の複室容器。
【請求項４】
前記口栓は、弱シール剥離手段が薬剤排出管に設けられ、
前記弱シール部は、前記口栓の薬剤排出管の下端部より下方の位置で対向する前記容器本体の袋部の内壁が、前記弱シール剥離手段を挟持した状態でＴ字状にシールして形成されていることを特徴とする、請求項２記載の複室容器。
【請求項５】
前記弱シール剥離手段は、プレート状部材で構成されていることを特徴とする、請求項４記載の複室容器。
【請求項６】
前記弱シール剥離手段は、リング状部材で構成されていることを特徴とする、請求項４記載の複室容器。
【請求項７】
前記容器本体は、袋部の中央近傍に折り返し線を備え、前記口栓側の袋部が該中央近傍折り返し線で内側に折り返された折り返し部が形成されて、前記口栓が折り返し部の間に隠れるように位置し、
前記弱シール部は、前記中央近傍折り返し線で内側に折り返された前記容器本体の袋部の上縁部及び両側縁部からなるＵ字形の内壁と、該Ｕ字形の内壁と対向する前記容器本体の袋部の内壁とがシールされて形成されていることを特徴とする、請求項１記載の複室容器。
【請求項８】
前記容器本体は、表側袋部に取り付けられた前記口栓と、裏側袋部に取り付けられた吊り下げ用のグリップ部又はフック部とを備え、
前記弱シール部は、前記口栓が取り付けられた前記表側袋部の内壁と、前記吊り下げ用のグリップ部又はフック部が取り付けられた前記裏側袋部の内壁とがシールされて形成され、
前記口栓は、前記弱シール部で２つ折りに構成された前記容器本体の薬剤充填室の間に隠れるように位置することを特徴とする、請求項１記載の複室容器。
【発明の詳細な説明】
【技術分野】
【０００１】
本発明は、複室容器に関する。
【背景技術】
【０００２】
従来、２種類以上の薬剤を配合する場合、薬剤的相互作用に起因する経時的変化によって薬剤が変質する危険性があるため、医療現場で各成分を投薬直前に混合して調製する方法が採用されていた。しかし、このような投薬直前の薬剤の混合は、微生物汚染や異物の混入、過誤の混合、迅速な投薬ができない等の欠点があった。このため、現在、圧力の付加によって剥離可能な弱シール等の仕切手段を容器本体に設け、この仕切手段で区画された複数の薬剤充填室に各未混合薬剤を個別に充填し、投与直前に前記仕切手段を解除して各薬剤を混合することが可能な複室型の容器が多数開発されている。
【０００３】
このような複室容器は、容器本体の内部を２等分するように仕切手段が短手方向に設けられているものが多く、通常、薬剤の混合作業を行うまで、前記仕切手段が設けられている容器本体の中央付近で２つ折りにされて保管されている。
【０００４】
前記複室容器を用いて薬剤の混合を行う場合、まず、２つ折りにされている容器本体を元の展開状態に戻して、次に、薬剤充填室を手等で押圧して仕切手段の解除が行われる。したがって、前記複室容器を用いた薬剤の混合工程においては、容器本体を展開状態に戻す作業と仕切手段を解除する作業という２つの作業をそれぞれ別個に行う必要があった（特許文献はなし）。
【０００５】
しかしながら、前記２つの作業は、薬剤の混合工程においては煩わしいものとなっているばかりでなく、口栓と一方の薬剤充填室とは連通しているので、容器本体の下端に設けられたフック穴にフックを通して複室容器を吊り下げたり、又は口栓を下向きにして傾斜面に複室容器を設置した状態で、薬剤排出口に固定されたゴム栓に中空針を刺通すれば、口栓と連通する一方の薬剤充填室から未混合薬剤が口栓の薬剤排出管を通って中空針に流入することになる。このため、２番目の作業である薬剤充填室の押圧を怠って、誤って未混合薬剤が患者に投与される危険性があり、複室容器が前記のように構成されている場合は、このような医療事故を未然に防止して患者に対する安全性を確保することができないという問題点がある。
【発明の開示】
【発明が解決しようとする課題】
【０００６】
したがって、本発明は、かかる問題点を解消するため、複室容器を用いた薬剤の混合工程において、仕切手段を解除させる作業のみを行えば、混合薬剤を投与することができ、また、仕切手段の解除前に薬剤充填室に充填された未混合薬剤が口栓を通って中空針に流入しない複室容器を提供し、これにより、薬剤の混合工程において簡便な作業を実現し、かつ、仕切手段の未解除が原因となって、未混合薬剤が患者に投与される危険性を回避することを目的とする。
【課題を解決するための手段】
【０００７】
前記課題を解決するための手段として、本発明は、複数に区画されてそれぞれ異なる薬剤が充填される薬剤充填室を有する容器本体と、該容器本体の開口部に取り付けられた口栓とを備えた複室容器において、前記口栓を前記容器本体に隠れた状態に設け、前記薬剤充填室を閉塞し、前記口栓の引張で剥離可能に構成された弱シール部を前記容器本体に設けたものである。
【０００８】
前記手段によれば、口栓の引張という１つの作業を行うだけで、薬剤充填室を閉塞する弱シール部を剥離させることができ、これにより、薬剤充填室に充填された各未混合薬剤の混合作業を簡便に行うことができる。また、使用者が口栓を引張しない限り、弱シール部が剥離して口栓と容器本体の内部が連通することはない。従って、口栓の引張前に中空針を誤ってゴム栓に刺通しても、未混合薬剤が口栓の薬剤排出管を通って中空針に流入することはない。
【０００９】
前記容器本体は、袋部の上部に折り返し線を備え、前記口栓側の袋部が該上部折り返し線で内側に折り返された折り返し部が形成されて、前記折り返し部の間に前記口栓が隠れるように位置してもよい。
【００１０】
前記弱シール部は、前記上部折り返し線で内側に折り返された前記容器本体の袋部の上縁部の内壁と、該上縁部の内壁に対向する前記容器本体の袋部の内壁とがシールされて形成され、前記薬剤充填室を区画する仕切強シール部の上端に位置してもよい。
【００１１】
前記口栓は、弱シール剥離手段が薬剤排出管に設けられ、前記弱シール部は、前記口栓の薬剤排出管の下端部より下方の位置で対向する前記容器本体の袋部の内壁が、前記弱シール剥離手段を挟持した状態でＴ字状にシールして形成されていてもよい。
【００１２】
前記弱シール剥離手段は、プレート状部材で構成されていてもよい。
【００１３】
また、前記弱シール剥離手段は、リング状部材で構成されていてもよい。
【００１４】
前記容器本体は、袋部の中央近傍に折り返し線を備え、前記口栓側の袋部が該中央近傍折り返し線で内側に折り返された折り返し部が形成されて、前記口栓が折り返し部の間に隠れるように位置し、前記弱シール部は、前記中央近傍折り返し線で内側に折り返された前記容器本体の袋部の上縁部及び両側縁部からなるＵ字形の内壁と、該Ｕ字形の内壁と対向する前記容器本体の袋部の内壁とがシールされて形成されていてもよい。
【００１５】
前記容器本体は、表側袋部に取り付けられた前記口栓と、裏側袋部に取り付けられた吊り下げ用のグリップ部又はフック部とを備え、前記弱シール部は、前記口栓が取り付けられた前記表側袋部の内壁と、前記吊り下げ用のグリップ部又はフック部が取り付けられた前記裏側袋部の内壁とがシールされて形成され、前記口栓は、前記弱シール部で２つ折りに構成された前記容器本体の薬剤充填室の間に隠れるように位置してもよい
【発明の効果】
【００１６】
本発明によれば、使用者が口栓の引張という簡易な１つの作業を行うだけで、薬剤の混合作業を円滑に行うことが可能となる。また、複室容器の容器本体に形成された弱シール部を剥離しないまま、患者に未混合薬剤が誤って投与されるという医療事故を未然に回避することも可能となる。
【発明を実施するための最良の形態】
【００１７】
以下、添付の図面に従って、本発明の実施形態を説明するが、説明及び図示されたものに本発明が限定されるものではない。
【００１８】
図１〜４は、本発明の第１実施形態に係る複室容器１を示す。この複室容器１は、容器本体２と、該容器本体２の開口部に取り付けられた薬剤排出用の口栓１３とを備える。
【００１９】
容器本体２は、可撓性を有する透明なフィルムシートを筒状に成形し、開口している両端部を加熱溶着等によってシールすることで、袋部３と、上端強シール部４と、下端強シール部５とからなる矩形状の袋体に構成される。容器本体２は、袋部３の上部に形成された折り返し線６を備え、図２，３に示したように、口栓１３側の袋部３がこの上部折り返し線６で内側に折り返されて折り返し部７が形成されている。この折り返し部７が形成されている袋部３の内壁が、上部折り返し線６より下方の袋部３の内壁と対向している。容器本体２は、上部折り返し線６で内側に折り返された袋部３の上縁部の内壁と該上縁部の内壁に対向する袋部３の内壁とが、例えば、混合樹脂片で接合されたり、又は前記内壁の間に混合樹脂片を挟持した状態で加熱溶着されることによって弱シール部８が短手方向に形成されている。また、容器本体２は、前記弱シール部８から下端強シール部５まで、薬剤排出管１５の開口部より広い幅で、対向する袋部３の内壁が加熱溶着等されて仕切強シール部９が長手方向に形成されている。
【００２０】
容器本体２の上端強シール部４と、下端強シール部５と、仕切強シール部９は、手等で容器本体２に圧力が加えられても剥離しない強度で構成されている。
【００２１】
一方、弱シール部８は、口栓１３の引張で剥離可能な強度で構成されている。弱シール部８は、容器本体２を２つに区画して遮断することで、上方側には空洞部１０が形成され、下方側には薬剤充填用の空間が形成されている。
【００２２】
仕切強シール部９は、容器本体２の下方側に形成された薬剤充填用の空間を２等分に区画して、薬剤充填室１１，１２を形成する。仕切強シール部９は、口栓１３の薬剤排出管１５の開口部を閉塞している。２つの薬剤充填室１１，１２は、それぞれ別種類の未混合薬剤が充填される。なお、薬剤充填室１１，１２に充填されるものは、薬剤に限定される必要はなく、例えば、接着剤、試薬等のような薬剤以外のものが薬剤充填室１１，１２に充填されてもよい。
【００２３】
口栓１３は、筒状で、薬剤排出口１４と、薬剤排出管１５と、ゴム栓体１６とで構成される。口栓１３は、容器本体２の上端強シール部４が形成されるフィルムシートの内壁の間に薬剤排出管１５が挟持された状態で加熱溶着されて、容器本体２の上端中央に取り付けられている。口栓１３は、ゴム栓体１６を薬剤排出口１４に収納し、薬剤排出口１４の上方外周部に被せられた成形用キャップ（不図示）の上面に溶着用ヒータ（不図示）を圧着することによって、薬剤排出口１４の上部が内側に湾曲するように成形されている。これにより、ゴム栓体１６が薬剤排出口１４に固定され、薬剤の投与時に中空針が刺通されるまで容器本体２の内部を密封する。口栓１３は、容器本体２が上部折り返し線６で内側に折り返されることによって、図１，３に示したように、全体が折り返し部７の間に隠れるように位置している。なお、口栓１３は、全体が折り返し部７の間に隠れる必要はなく、少なくとも口栓１３の一部が折り返し部７に隠れるように位置していてもよい。また、口栓１３は、ゴム栓体で封緘されるほか、ルアーロック式チューブ構造としてもよい。
【００２４】
次に、前記構成からなる複室容器１を使用する場合の作用について説明する。
【００２５】
口栓１３が、折り返し部７の間に隠れるように位置しているときは、弱シール部８と仕切強シール部９とによって、未混合薬剤が、薬剤充填室１１，１２内に完全に密封される。
【００２６】
使用者が下端強シール部５に一方の手を添えながら他方の手で口栓１３を引張して折り返し部７を引き出し、容器本体２を伸張すると、図４に示したように、薬剤充填室１１，１２を閉塞している弱シール部８が剥離して、空洞部１０と薬剤充填室１１，１２が連通する。また、前記仕切強シール部９による薬剤排出管１５の開口部の閉塞も解除されて、容器本体２の袋部３の内部と口栓１３が連通する。これにより、口栓１３が下向きになるように複室容器１を逆さにしたり、２つの薬剤充填室１１，１２を手で押圧して、未混合薬剤を薬剤充填室１１，１２から空洞部１０に流出させて混合することができる。その後、点滴架台のフックを容器本体２に設けたフック穴１７に通して複室容器１を点滴架台に吊り下げ、口栓１３に固定されたゴム栓体１６に中空針を刺通して、患者に混合薬剤を投与することができる。
【００２７】
また、図１，４に示すように、弱シール部８の剥離前と剥離後では、複室容器１の形態が異なっているので、口栓１３が折り返し部７の間に隠れるように位置している場合には、使用者は、弱シール部８を剥離させるための口栓１３の引張が行われていないことを外観上の形態で認識することが可能となる。
【００２８】
図５〜７は、本発明の第２実施形態に係る複室容器１を示す。この複室容器１は、口栓１３の引張と連働して弱シール部８を剥離させる弱シール剥離手段１８を口栓１３に設けたものである。弱シール剥離手段１８として、プレート状部材１９が取付部材２０を介して薬剤排出管１５に取り付けられている。なお、プレート状部材１９は、取付部材２０を介さず薬剤排出管１５と直接形成されてもよい。
【００２９】
弱シール部８は、口栓１３の薬剤排出管１５の下端部より下方の位置で対向する容器本体２の袋部３の内壁が、プレート状部材１９を挟持した状態で上述したような方法によってＴ字状にシールして形成され、薬剤充填室１１，１２を区画し、かつ、閉塞している。
【００３０】
第２実施形態に係る複室容器１では、口栓１３を引張すると、容器本体２の伸張によってプレート状部材１９の位置が上方に移動するため、弱シール部８は、プレート状部材１９にシールされた部分のみがプレート状部材１９と分離して剥離する。
【００３１】
図８は、本発明の第３実施形態に係る複室容器１を示す。この複室容器１は、前記図５〜７の第２実施形態のプレート状部材１９の代わりに、弱シール剥離手段１８としてリング状部材２１を設けたものである。
【００３２】
第３実施形態に係る複室容器１では、第２実施形態と同様、口栓１３を引張すると、容器本体２の伸張によってリング状部材２１の位置が上方に移動するため、弱シール部８は、リング状部材２１が通過した部分においてのみ剥離する。
【００３３】
図９，１０は、本発明の第４実施形態に係る複室容器１を示す。この複室容器１は、容器本体２の袋部３の中央近傍に形成された折り返し線６で、口栓１３側の袋部３が内側に折り返されて、折り返し部７が形成されている。
【００３４】
折り返し部７の間に隠れるように位置する口栓１３の薬剤排出管１５の下端部は、袋部３の底部に位置する。また、弱シール部８は、中央近傍折り返し線６で内側に折り返された容器本体２の袋部３の上縁部及び両側縁部からなるＵ字形の内壁と、該Ｕ字形の内壁と対向する袋部３の内壁とを上述したような方法によってシールして形成され、薬剤充填室１１，１２を区画し、かつ、閉塞している。
【００３５】
第４実施形態に係る複室容器では、弱シール部８の剥離と同時に、未混合薬剤が薬剤充填室１１，１２から自然に流出して混合する。
【００３６】
図１１〜１３は、本発明の第５実施形態に係る複室容器１を示す。この複室容器１は、口栓１３が、弱シール部８で２つ折りに構成された前記容器本体２の薬剤充填室１１，１２の間に位置するように構成されている。
【００３７】
口栓１３は、容器本体２の表側袋部２４の中心部に取り付けられ、開孔部２３を有する吊り下げ用のグリップ部２２が裏側袋部２５の中心部に取り付けられている。また、弱シール部８は、前記口栓１３が取り付けられた表側袋部２４の内壁と、前記吊り下げ用のグリップ部２２が取り付けられた裏側袋部２５の内壁とを、薬剤排出管１５の開口部より広い幅でシールして短手方向に形成されている。なお、容器本体２の裏側袋部２５の中心部には、吊り下げ用のグリップ部２２のほか、吊り下げ用のフック部が取り付けられてもよい。
【００３８】
第５実施形態に係る複室容器では、第４実施形態と同様に、弱シール部８の剥離と同時に、未混合薬剤が薬剤充填室１１，１２から自然に流出して混合する。
【図面の簡単な説明】
【００３９】
【図１】本発明の第１実施形態による複室容器の正面図である。
【図２】図１の複室容器のII−II線断面図である。
【図３】図１の複室容器のIII−III線断面図である。
【図４】弱シール部が剥離した状態を示す図１の複室容器の正面図である。
【図５】弱シール剥離手段としてプレート状部材が口栓に取り付けられた本発明の第２実施形態による複室容器の正面図である。
【図６】図５の複室容器のVI−VI線断面図である。
【図７】図５の複室容器のVII−VII線断面図である。
【図８】弱シール剥離手段としてリング状部材が口栓に取り付けられた本発明の第３実施形態による複室容器の正面図である。
【図９】本発明の第４実施形態による複室容器の正面図である。
【図１０】図９のX−X線断面図である。
【図１１】本発明の第５実施形態による複室容器の側面図である。
【図１２】容器本体の折り畳みを展開した状態を示す本発明の第５実施形態による複室容器の正面図である。
【図１３】容器本体の折り畳みを展開した状態を示す本発明の第５実施形態による複室容器の側面図である。
【符号の説明】
【００４０】
１  複室容器
２  容器本体
３  袋部
４  上端強シール部
５  下端強シール部
６  折り返し線
７  折り返し部
８  弱シール部
９  仕切強シール部
１０  空洞部
１１，１２  薬剤充填室
１３  口栓
１４  薬剤排出口
１５  薬剤排出管
１６  ゴム栓
１７  フック穴
１８  弱シール剥離手段
１９  プレート状部材
２０  取付部材
２１  リング状部材
２２  吊り下げ用のグリップ部
２３  開孔部
２４  表側袋部
２５  裏側袋部
【図１】
2005074089.tif 000003
【図２】
2005074089.tif 000004
【図３】
2005074089.tif 000005
【図４】
2005074089.tif 000006
【図５】
2005074089.tif 000007
【図６】
2005074089.tif 000008
【図７】
2005074089.tif 000009
【図８】
2005074089.tif 000010
【図９】
2005074089.tif 000011
【図１０】
2005074089.tif 000012
【図１１】
2005074089.tif 000013
【図１２】
2005074089.tif 000014
【図１３】
2005074089.tif 000015